(57)【要約】      （修正有）【課題】袋の素材や大きさに限定されず、且つ、何度も繰り返して使用することができ、開口部を、容易に、且つ確実に封止することができる袋開口部の封止具を提供する。【解決手段】袋開口部の封止具は、袋の開口部近傍に装着される封止具１であって、該封止具１は、第一筒状体１０と、第一筒状体１０の周囲に配設される、長手方向に切込部２１が形成された第二筒状体２０とで構成されている。また、前記第二筒状体２０の切込部２１の両端部にテーパ部２２を形成した。【選択図】図１
0003216039.tif 000002
【実用新案登録請求の範囲】
【請求項１】
袋の開口部近傍に装着される封止具であって、該封止具は、第一筒状体と、第一筒状体の周囲に配設される、長手方向に切込部が形成された第二筒状体とで構成されていることを特徴とする袋開口部の封止具。
【請求項２】
前記第二筒状体の切込部の両端部にテーパ部を形成した請求項１記載の袋開口部の封止具。
【請求項３】
前記第一筒状体の長手方向に凸部を形成した請求項１または２記載の袋開口部の封止具。
【考案の詳細な説明】
【技術分野】
【０００１】  本考案は、袋の開口部を、容易に、且つ確実に封止することができる袋開口部の封止具に関する。
【背景技術】
【０００２】  一般的な袋は、収納物を収容させる袋本体と、袋本体の上部に形成された開口部とで形成されている。かかる袋の開口部を封止する場合、紐やゴムで結んだり、縁部分をクリップ等で封止したりしていた。【０００３】  また、上記に関連する先行技術として、使用性を向上することができる袋体及び封止構造体がある（例えば特許文献１参照）。
上掲特許文献１の袋体は、開口部に封止部を備え、相対向する前記封止部を係止することにより前記開口部を封止する袋体において、前記封止部は、２次元状の第１係合パターンを有する第１係合部材と、第１係合パターンに対して係合可能な第２係合部材とを備え、前記第２係合パターンの係合可能領域は、前記第１係合パターンに設けられた第２係合部材と係合するための被係合可能領域よりも小さいことを特徴としている。【０００４】  また上掲特許文献１の封止構造体は、袋体の開口部を封止する封止構造体において、前記封止構造体は、２次元状の第１係合パターンを有する第１係合部材と、第１係合パターンに対して係合可能な第２係合部材パターンを有する第２係合部材とを備え、前記第２係合パターンの係合可能領域は、前記第１係合パターンに設けられた前記第２係合パターンと係合するための被係合可能領域よりも小さいことを特徴としている。
【先行技術文献】
【特許文献】
【０００５】
【特許文献１】特開２０１０−２０２２２４号公報
【考案の概要】
【考案が解決しようとする課題】  しかしながら特許文献１の袋体及び封止構造体は、第１係合部材及び第２係合部材の構造が複雑であり、製造の際にコスト高になるという問題があった。また、前記封止構造では、他の袋体の開口部を封止できないという欠点も生じた。【０００６】  そこで本考案は上記の点に鑑み、袋の素材や大きさに限定されず、且つ、何度も繰り返して使用することができ、開口部を、容易に、且つ確実に封止することができる袋開口部の封止具を提供することにある。
【課題を解決するための手段】
【０００７】  上記課題を解決するために本考案の袋開口部の封止具は、袋の開口部近傍に装着される封止具であって、該封止具は、第一筒状体と、第一筒状体の周囲に配設される、長手方向に切込部が形成された第二筒状体とで構成されていることを特徴とする。【０００８】  また、前記第二筒状体の切込部の両端部にテーパ部を形成した。【０００９】  さらに、前記第一筒状体の長手方向に凸部を形成した。
【考案の効果】
【００１０】  本考案の袋開口部の封止具は、第一筒状体と、第一筒状体の周囲に配設される、長手方向に切込部が形成された第二筒状体とで構成されていることにより、さまざまな大きさや素材の袋の開口部に適用することができる。【００１１】  また、第二筒状体の切込部の両端部にテーパ部を形成したことで、第一筒状体への着脱が容易となり、高い利便性を発揮できる。【００１２】  さらに、第一筒状体の長手方向に凸部を形成したことにより、袋の開口部の保持力を一層高めることができる。
【図面の簡単な説明】
【００１３】
【図１】第一筒状体と第二筒状体の斜視図である。
【図２】第一筒状体と第二筒状体の側面図である。
【図３】第二筒状体を第一筒状体の周囲に配設させた状態の側面図である。
【図４】第二筒状体を第一筒状体に配設させた状態の拡大正面図である。
【図５】第一筒状体を袋の開口部近傍に配置させた状態である。
【図６】第一筒状体に袋開口部を被覆させた状態である。
【図７】第一筒状体に第二筒状体を被覆させる状態である。
【図８】第一筒状体に第二筒状体を被覆させた状態である。
【図９】袋開口部を封止した状態の拡大断面図である。
【図１０】他の好適例、凸部を形成した第一筒状体の全体図である。
【図１１】前記第一筒状体に第二筒状体を被覆させた状態の拡大断面図である。
【考案を実施するための形態】
【００１４】  本考案の袋開口部の封止具は、袋の素材や大きさに限定されず、且つ、何度も繰り返して使用することができ、開口部近傍を、容易に、且つ確実に封止できることを特徴とするものである。
以下、本考案における袋開口部の封止具の実施の形態を図面に基づいて説明する。
【００１５】  図示する袋開口部の封止具１は、紙袋、布袋、ビニール袋等のさまざまな素材の袋の開口部の近傍に装着されるもので、第一筒状体１０と、第一筒状体１０の周囲に配設される、長手方向に切込部２１が形成された第二筒状体２０とで構成されている。なお、本考案の封止具１が配置される袋の開口部近傍とは、図５及び図６に示すように、第一筒状体１０を配置させた状態で開口部３を折り曲げた際、第一筒状体１０全体を覆うことができる位置を表す。
【００１６】  第一筒状体１０は、ポリプロピレンやＡＢＳ樹脂等の合成樹脂の素材からなり、その外径は、第二筒状体２０の内径よりやや小径にて形成されている。また前記第一筒状体１０は、図中、円筒状に形成されているが、これに限らず、空洞を有しない円柱状に形成してもよい。
【００１７】  第二筒状体２０は、ポリプロピレンやＡＢＳ樹脂等の合成樹脂の素材からなり、その内径は、第一筒状体１０の外周よりもやや大径に形成されている。そのため、図３及び図４に示すように、第二筒状体２０は、やや隙間を有して第一筒状体１０の周囲に配設される。
【００１８】  また前記第二筒状体２０の長手方向には、切込部２１が形成されている。切込部２１は適宜幅を有しており、第二筒状体２０の長手方向の両端部に亘り形成されている。そのことにより、第一筒状体１０の周囲に第二筒状体２０を配設させた際、切込部２１が僅かに開閉するため、容易に装着することができる。
【００１９】  また特に、前記第二筒状体２０の切込部２１の両端部には、テーパ部２２が形成されている。テーパ部２２は、第二筒状体２０の両端部に向けて傾斜状に形成されており、第一筒状体１０の端部から第二筒状体２０を差し込む際の操作を容易に行うことができる。
【００２０】  また他の好適例として、前記第一筒状体１０の長手方向に凸部１１を形成してもよい。図１０の（ａ）は、前記凸部１１を形成した第一筒状体１０の全体斜視図、（ｂ）は反転した状態の第一筒状体１０の全体斜視図を示す。なお前記凸部１１の断面形状は、図示するように矩形状が好ましいが、円形や楕円形であってもよい。
【００２１】  前記第一筒状体１０の長手方向に凸部１１を形成することにより、図１１に示すように、第一筒状体１０と第二筒状体２０の間に袋２を介在させた際、挟持された袋２の開口部３の保持力を一層高めることができる。
【００２２】  次に、本考案の袋開口部の封止具の使用方法を図５乃至図９に基づいて説明する。
先ず図５に示すように、袋２の開口部３の近傍に、第一筒状体１０を配置させる。この状態で、図６に示すように、開口部３部分を袋２の本体部４側に折り曲げる。
【００２３】  次に、図７に示すように、第一筒状体１０の端部に第二筒状体２０を差し込む。第二筒状体２０を差し込むと、図８に示すように、第一筒状体１０の周囲を第二筒状体２０で覆うことができる。
【００２４】  上記の操作により、図９に示すように、第一筒状体１０と第二筒状体２０の間に袋２の開口部３近傍が挟持された状態となり、袋２の開口部３を封止することができる。また、開口部３の封止状態を解除するには、第二筒状体２０をスライドさせることで、開口部３から第一筒状体１０を取り外すことができる。
【００２５】  上述の如く、本考案の袋開口部の封止具は、第一筒状体１０と、第一筒状体１０の周囲に配設される、長手方向に切込部２１が形成された第二筒状体２０とで構成されていることにより、袋の素材や大きさに限定されず、且つ、何度も繰り返して使用することができ、開口部を、容易に、且つ確実に封止することができる。
【符号の説明】
【００２６】１    封止具
２    袋
３    開口部
４    本体部
１０  第一筒状体
１１  凸部
２０  第二筒状体
２１  切込部
２２  テーパ部
【図１】
0003216039.tif 000003
【図２】
0003216039.tif 000004
【図３】
0003216039.tif 000005
【図４】
0003216039.tif 000006
【図５】
0003216039.tif 000007
【図６】
0003216039.tif 000008
【図７】
0003216039.tif 000009
【図８】
0003216039.tif 000010
【図９】
0003216039.tif 000011
【図１０】
0003216039.tif 000012
【図１１】
0003216039.tif 000013